(57)【要約】      （修正有）【課題】容器の取り出しと収容を容易にするのみならず、チューブ容器等を起立して収容することができ、容器の内容物の残量が目視できたり、包装用容器の外周の書誌的事項、説明欄等をそのまま利用することができる包装用容器を提供する。【解決手段】容器胴部の上端部に上蓋部２、下端部に底蓋部を有する包装用容器において、容器胴部の上部に上蓋部２を開くことなく切り離すことができる蓋切離線３を設けると共に、蓋切離線の下方に該蓋切離線との間に折り畳み枠部１０を形成することができる枠形成切込線１１を設ける。【選択図】図１
0003113491.tif 000002
【実用新案登録請求の範囲】
【請求項１】
容器胴部の上端部に天蓋部、下端部に底蓋部を有する包装用容器において、容器胴部の上部に天蓋部を開くことなく切り離すことができる蓋切離線を設けると共に、蓋切離線の下方に該蓋切離線との間に折り畳み枠部を形成することができる枠形成切込線を設けてなる包装用容器。
【請求項２】
請求項１に記載の包装用容器において、枠形成切込線を二重以上に設けて該枠形成切込線の間に折り畳み枠体を形成するようになした包装用容器。
【請求項３】
請求項１又は２に記載の包装用容器において、枠形成切込線を三重以上に設けて奇数番目の枠形成切込線の上側に折り畳み枠体を形成するようになした包装用容器。
【請求項４】
請求項１、２又は３に記載の包装用容器において、折り畳み枠体の上側に該折り畳み枠体より幅の小さい支持枠体を形成するようになした包装用容器。
【考案の詳細な説明】
【技術分野】
【０００１】
本考案は、内部に所定期間に渡って起立して使用する容器等を収容するに適した包装用容器に関する。
【背景技術】
【０００２】
従来、この種の包装用容器には、収容した容器の内容物の商品名、商標、品質、成分、用途、製造者、販売者、使用期限、賞味期限、使用上の注意事項、問い合わせ住所等の情報が見易い状態でふんだんに記載されているが、収容した容器そのものにはその形状等によっては十分な情報が記載されていない場合や、添付したラベルの字が小さすぎて良く読めなかったりする場合は、包装用容器を捨ててしまうと、容器だけで不便な場合があった。
【０００３】
また、チューブ容器のように、起立性がない容器を収容した場合や、内容物が異なるが容器が互いに似ていて間違いが起こり易い容器を収容した場合には、包装用容器を捨ててしまうと容器だけでは使用に支障が生じる場合があった。
【考案の開示】
【考案が解決しようとする課題】
【０００４】
この場合、容器を再度使用するまでは包装用容器に収容して保存しなければならないことが多々あったが、包装用容器への容器の出し入れが面倒であったり、一度開いた包装用容器の蓋が閉まらなかったり、閉めにくかったり、包装用容器内の容器の内容物の残量が分かりにくかったりする課題があった。
【課題を解決するための手段】
【０００５】
そこで本考案に係る包装用容器は、請求項１に記載のように、容器本体の上部に上蓋部を開くことなく切り離すことができる蓋切離線を設けると共に、蓋切離線の下方に該蓋切離線との間に折り畳み枠体を形成することができる枠形成切込線を設けてなる包装用容器を提供するものである。
【０００６】
また、本考案は、請求項２に記載のように、請求項１に記載の包装用容器において、枠形成切込線を二重以上に設けて該枠形成切込線の間に折り畳み枠体を形成するようになした包装用容器を提供するものである。
【０００７】
また、本考案は、請求項３に記載のように、請求項１又は２に記載の包装用容器において、枠形成切込線を三重以上に設けて奇数番目の枠形成切込線の上側に折り畳み枠体を形成するようになした包装用容器を提供するものである。
【０００８】
また、本考案は、請求項４に記載のように、請求項１、２又は３に記載の包装用容器において、折り畳み枠体の上側に該折り畳み枠体より幅の小さい支持枠体を形成するようになした包装用容器を提供するものである。
【考案の効果】
【０００９】
本考案に係る包装用容器によれば、請求項１に記載のように、容器本体の上部に上蓋部を開くことなく切り離すことができる蓋切離線を設けると共に、蓋切離線の下方に該蓋切離線との間に折り畳み枠体を形成することができる枠形成切込線を設けてなる構成を有することにより、容器の上蓋部を開けることなく蓋切離線から切り離すことによって容易に容器本体の上部を開口することができるから、中から容器を容易に取り出すことができると共に、蓋切離線の下方の枠形成切離線を切り込んで蓋切離線との間の枠部を容器内壁方向に折り畳んで、容器上部にできた開口を折り畳み枠体の幅だけ下方に大きく成形することができるから、容器の取り出しと収容を容易にするのみならず、チューブ容器等を起立して収容することができ、更に、容器キャップ、肩部、上胴部等が外から見えるから、容器の内容物の残量が目視できたり、包装用容器の外周の書誌的事項、説明欄等をそのまま利用することができる効果がある。
【００１０】
また、本考案は、請求項２に記載のように、請求項１に記載の包装用容器において、枠形成切込線を二重以上に設けて該枠形成切込線の間に折り畳み枠体を形成するようになした構成を有することにより、枠形成切込線の間の折り畳み枠体を容器内壁方向に折り畳んで、容器上部にできた開口の下方に折り畳み枠体の幅の開口部を成形することができ、収容した容器胴部が外から見えるから、容器の種類の判別が容易になると共に、内容物の残量が目視できる効果がある。
【００１１】
また、本考案は、請求項３に記載のように、請求項１又は２に記載の包装用容器において、枠形成切込線を三重以上に設けて奇数番目の枠形成切込線の上側に折り畳み枠体を形成するようになした構成を有することにより、例えば、３番目の枠形成切込線の上側の折り畳み枠体を容器内壁方向に折り込むと、少なくとも、その上の２番目の枠形成切込線の上側の折り畳み枠体はそのまま支持枠体として残すことができるから、容器上部にできた開口の下方に折り畳み枠体の幅の開口部を成形することができると共に、その上方に支持枠体を成形し容器上部を支持することができる効果がある。
【００１２】
また、本考案は、請求項４に記載のように、請求項１、２又は３に記載の包装用容器において、折り畳み枠体の上側に該折り畳み枠体より幅の小さい支持枠体を形成するようになした構成を有することにより、折り畳み枠体の上側に幅の狭い支持枠体を成形し、容器上部を支持することができると共に収容した容器を見易くする効果がある一方、容器上部にできた開口の下方に折り畳み枠体の幅が比較的に広く見える開口部を成形することができる効果がある。
【考案を実施するための最良の形態】
【００１３】
以下図示する実施例により本考案を説明する。
【実施例１】
【００１４】
図１乃至図４に記載の本考案に係る包装用容器の実施例のおいて、１は四角形断面、縦長の紙製の容器本体で、図４に記載のように、内容物としてチューブ容器のような縦長な容器２０を収容するのに適している。
なお、容器本体１は、実施例の形態に限らず、収容すべき容器の形態の適した底のある起立可能な筒状容器であればよく、断面も三角形、五角形以上の多角形、円筒、楕円筒、又はこれらの結合した形態、先細、先太でも良く、また、縦方向において、くの字状、Ｓ字状、Ｚ字状等の湾曲性のある形態でも良い。
【００１５】
容器本体１の天板部分には縦長容器２０を収納後に糊付け手段等により閉じられる上蓋部２が設けてあり、この上蓋部２を開くことなく切り離すことができる蓋切離線３が、上蓋部２の下側に切り離したときに切り離し部分が上蓋部２を含むように設けてある。
蓋切離線３は、ミシン目のように、切込線部３ａと連結線部３ｂとが交互に繋がり、実施例の場合、箱正面部には押し開け易いように上蓋部２からやや遠い下方位置にＵ字状の押圧線部４が設けてあると共に、それに連なる箱側面部には背面方向に上方に傾斜した連続線部５が設けてあり、その端部は箱背面部の蓋切取線６に連続するように設けてある。
【００１６】
蓋切取線６は、図２に記載のように、切り離して使用することも可能であるが、切り離さずに上蓋部２を含んだ切離蓋部７をヒンジ連結して開閉することが可能であり、連結状態を維持して使用することも可能である。
図１において、蓋切離線３の下方には該蓋切離線３との間に折り畳み枠体１０を形成することができる枠形成切込線１１を設けてあり、蓋切離線３の下方の枠形成切離線１１を切り込んで蓋切離線３との間の枠部を、図３に記載のように容器内壁方向に折り畳んで、容器上部にできた開口１２を折り畳み枠体１０の幅だけ下方に大きく成形することができるから、容器の取り出しと収容を容易にするのみならず、チューブ容器等を起立して収容することができ、更に、容器キャップ、肩部、上胴部等が外から見えるから、容器の種類の判別、容器の内容物の残量が目視できたり、容器に記載された書誌的事項、説明欄等をそのまま利用することができる効果がある。また、箱の外周に記載された書誌的事項、説明欄等をもそのまま利用することができる効果がある。
【００１７】
また、蓋切離線３との間に折り畳み枠体１０を形成する枠形成切離線１１の両端部からは、垂直上方向に折り畳み線１６が設けてあり、折り畳み線１６を折り畳み枠体１０の基部として折り畳み枠体１０を容器内側に折り畳んむことができるように構成してある。
この場合、折り畳み線１６を境に折り畳んで折り畳み枠体１０が残りの容器内壁に密着して折り畳まれるように構成することが容器内壁を狭めないで好ましいが、折り畳み枠体１０を容器内壁から浮き上がるように浅く折り畳むことによって、収容する容器を弾性的に保持するように構成することも可能である。
【００１８】
また、本考案は、前記枠形成切込線１１の下側に更に枠形成切込線１３，１４を複数段に設けて該枠形成切込線１３，１４の間に折り畳み枠体１７を形成するようになした構成にすることができ、枠形成切込線１３，１４の間の折り畳み枠体１７を容器内壁方向に折り畳んで、図３に記載のように、容器上部にできた開口の下方に折り畳み枠体１７の幅の開口部１８を成形することができ、図４に記載のように、収容した縦長容器２０の胴部が外から見えるから、容器２０の種類の判別が容易になると共に、内容物の残量が目視できる効果がある。
また、折り畳み枠体１７を形成する枠形成切込線１３，１４の両端部からは、図２に記載のように、垂直に折り畳み線１９が設けてあり、折り畳み線１９を折り畳み枠体１７の基部として折り畳み枠体１７を容器内側に折り畳むことができるように構成してある。
【００１９】
また、上記実施例のように、本考案は、枠形成切込線を一番目１１、二番目１３、三番目１４のように三重以上に設けて奇数番目の枠形成切込線１１、１４の上側に折り畳み枠体１０、１７を形成するようになした構成を有することにより、例えば、図３に記載のように、３番目の枠形成切込線１４の上側の折り畳み枠体１７を容器内壁方向に折り込むと、少なくとも、その上の２番目の枠形成切込線１３の上側の折り畳み枠体１５はそのまま支持枠体１５として残すことができるから、図４に記載のように、箱容器上部にできた開口の下方に折り畳み枠体１７の幅の開口部１８を成形することができると共に、その上方に支持枠体１５を成形し、収容した容器を支持することができる効果がある。
また、上記実施例のように、折り畳み枠体１７の上側に支持枠体１５を形成するようになした構成を有することにより、箱容器上部にできた開口の下方に折り畳み枠体１７の幅の開口部１８を成形することができると共に、その上方に支持枠体１５を成形することができる効果がある。
【実施例２】
【００２０】
図５又は図６に記載の実施例２において、８は箱形の容器本体１の天板部で、天板部８を含むように実施例１と同様に蓋切離線３が設けてあると共に、その下方に支持枠体９を形成する枠形成切込線１１，１３が設けてある。枠形成切込線１３，１４の間は、折り畳み枠体２１として容器内壁方向に折り畳んで、図６に記載のように、容器上部にできた開口１２の下方に折り畳み枠体２１の幅の開口部１８を成形することができる。
【００２１】
従って、図４に記載の実施例１と同様に、箱容器上部にできた開口１２の下方に折り畳み枠体２１の幅の開口部１８を成形することができ、収容した縦長の容器２０の胴部が外から見えるから、容器２０の種類の判別が容易になると共に、内容物の残量が目視できると共に、その上方に支持枠体９を成形し、収容した容器を支持することができる効果がある。
また、折り畳み枠体２１を形成する枠形成切込線１３，１４の両端部からは、図５に記載のように、垂直に折り畳み線２２が設けてあり、折り畳み線２２を折り畳み枠体２１の基部として折り畳み枠体２１を容器内側に折り畳むことができるように構成してある。
【図面の簡単な説明】
【００２２】
【図１】本考案に係る一実施例の概略斜視図。
【図２】その実施例の一使用態様を示す概略斜視図。
【図３】その実施例の他の使用態様を示す概略斜視図。
【図４】その実施例の他の使用態様を示す概略斜視図。
【図５】本考案に係る他の一実施例の概略斜視図。
【図６】その実施例の一使用態様を示す概略斜視図。
【符号の説明】
【００２３】
１    容器本体
２    上蓋部
３    蓋切離線
４    押圧線部
５    連続線部
６    蓋切取線
７    切取蓋部
８    天板部
９    支持枠体
１０  折り畳み枠体
１１  枠形成切込線
１２  開口
１３  枠形成切込線
１４  枠形成切込線
１５  支持枠体
１６  折り畳み線
１７  折り畳み枠体
１８  開口部
１９  折り畳み線
２０  収容容器
２１  折り畳み枠体
２２  折り畳み線
【図１】
0003113491.tif 000003
【図２】
0003113491.tif 000004
【図３】
0003113491.tif 000005
【図４】
0003113491.tif 000006
【図５】
0003113491.tif 000007
【図６】
0003113491.tif 000008